(57)【特許請求の範囲】
【請求項１】
少なくとも記録媒体に対する所定の情報処理を実行する操作部と、情報を再生表示する再生表示部と、上記操作部と上記再生表示部とを折りたたみ自在に連結する連結部とを備えた情報処理装置において、
上記連結部は、上記操作部の筐体の一側部に回転自在に設けた操作部側支軸と、上記再生表示部の筐体の一側部に回転自在に設けた再生表示部側支軸とを構成要素とし、上記操作部側支軸と上記再生表示部側支軸とが連結分離自在に構成されたものであることを特徴とする情報処理装置。
【請求項２】
上記連結部は、上記操作部と上記再生表示部の少なくとも一方を駆動する電源の格納部を有することを特徴とする請求項１記載の情報処理装置。
【請求項３】
上記操作部は、上記再生表示部を折りたたんだ状態でこの再生表示部と対向する境界縁部に、上記再生表示部を開いた状態と閉じた状態で視認する、動作状態を所定に表示する表示部を備えたことを特徴とする請求項１又は請求項２記載の情報処理装置。
【請求項４】
上記操作部は、少なくとも２つの記録媒体の挿入、取り出し方向をそれぞれ異方向に形成したことを特徴とする請求項１乃至請求項３のいずれか一つに記載の情報処理装置。
【請求項５】
上記操作部は、各操作スイッチを自己の筐体側面に配置したものであることを特徴とする請求項１乃至請求項４のいずれか一つに記載の情報処理装置。
【請求項６】
上記連結部と上記操作部のどちらかに、無線の通信部を設けたことを特徴とする請求項１乃至請求項５のいずれか一つに記載の情報処理装置。
【請求項７】
上記操作部に、外部出力端子を設けたことを特徴とする請求項１乃至請求項６のいずれか一つに記載の情報処理装置。
【発明の詳細な説明】
【０００１】
【発明の属する技術分野】
本発明は、例えば、電子スチルカメラ、若しくはデジタルカメラ等で撮像し乃至は他の外部機器から取り込んだ画像情報を所定の記録媒体に記録し、或いはこれから再生し、その他処理する携帯型の情報処理装置に関する。
【０００２】
【従来の技術】
近年、固体撮像素子を撮像手段に用い、この固体撮像素子で撮像した画像をメモリカード等の記憶媒体（記録媒体）に記録する電子スチルカメラ、若しくはデジタルカメラの普及が急速に進んでいる。
【０００３】
また、最近では、携帯性に優れた情報処理装置の開発も盛んに行われ、本出願人も、例えば特開平８−２２３４３号公報で、液晶ディスプレイ部分と、キーボード部分と、撮像光学系等が内蔵された２つのヒンジからなるヒンジ部から構成され、液晶ディスプレイ部分とキーボード部分とがそれぞれヒンジ部に対して回転し、折りたたみ自在なサブノートパソコンを提案している。
【０００４】
さらに、実公平７−３７３５公報では、撮像光学系等が内蔵された円筒状の撮影部と、撮影部の側面に固着されて各操作スイッチが配置される箱形の記録再生部と、撮影部の外周面にヒンジされた表示部から構成され、表示部が撮影部を支軸として回転し、折りたたみ自在な再生装置付カメラが示されている。
【０００５】
【発明が解決しようとする課題】
ところで、電子スチルカメラ、若しくはデジタルカメラ等の画像情報は、近年益々、大容量化する傾向にあり、これら画像情報は、電子スチルカメラ、若しくはデジタルカメラに付属されるＰＣカード等の比較的小型の記録媒体から、光磁気ディスク（ＭＯディスク）、ＺＩＰディスク等の大容量の記録媒体に移動して効率よく管理する必要が生じている。すなわち、このような情報処理装置では、小型の記録媒体に記録されている情報を大容量の記録媒体にコピー、移動したり、不要な情報を消去したり、或いは、情報を再生、表示したりする機能が種々求められ、携帯性と操作性に優れていることが重要である。
【０００６】
携帯性については、多くの電子スチルカメラ、若しくはデジタルカメラはそれ自体が、液晶表示部を備えていること、また、表示モニタが多く普及していることを考慮すれば、携帯に必要な部分はさらに少なくなり、必要最小限の部分を携帯するようにして、さらなる小型、軽量化を図ることも可能となりうる。
【０００７】
本発明は上記事情に鑑みてなされたもので、小型の記録媒体に記録されている情報を大容量の記録媒体にコピー、移動したり、不要な情報を消去したり、或いは、情報を再生、表示したりする種々の情報処理に係る操作を容易、且つ、手軽に行うことができ、また、情報処理の操作を行う操作部と再生表示部とが折りたためて、さらに個別に分離することもでき、携帯性と操作性に優れた情報処理装置を提供することを目的とする。
【０００８】
【課題を解決するための手段】
上記目的を達成するため請求項１記載の本発明による情報処理装置は、少なくとも記録媒体に対する所定の情報処理を実行する操作部と、情報を再生表示する再生表示部と、上記操作部と上記再生表示部とを折りたたみ自在に連結する連結部とを備えた情報処理装置において、上記連結部は、上記操作部の筐体の一側部に回転自在に設けた操作部側支軸と、上記再生表示部の筐体の一側部に回転自在に設けた再生表示部側支軸とを構成要素とし、上記操作部側支軸と上記再生表示部側支軸とが連結分離自在に構成されたものである。
【０００９】
上記請求項１記載の情報処理装置は、少なくとも記録媒体に対する所定の情報処理を実行する操作部と、情報を再生表示する再生表示部とが連結部により折りたたみ自在であり、操作部と再生表示部とを折りたたんで小型にして携帯することができる。また、必要に応じて操作部のみ、或いは再生表示部のみを携帯する。この際、上記連結部は、上記操作部の筐体の一側部に回転自在に設けた操作部側支軸と、上記再生表示部の筐体の一側部に回転自在に設けた再生表示部側支軸とを構成要素とし、上記操作部側支軸と上記再生表示部側支軸とが連結分離自在に構成されているので、上記連結部自体で連結分離自在になっている。
【００１２】
また、請求項２記載の本発明による情報処理装置は、請求項１記載の情報処理装置において、上記連結部は、上記操作部と上記再生表示部の少なくとも一方を駆動する電源の格納部を有するので、例え、上記操作部と上記再生表示部とを分離して使用する場合でも上記連結部の電源の格納部を有する側のものは、外部電源を使用しなくても所定の機能を発揮することが可能である。
【００１３】
さらに、請求項３記載の本発明による情報処理装置は、請求項１又は請求項２記載の情報処理装置において、上記操作部は、上記再生表示部を折りたたんだ状態でこの再生表示部と対向する境界縁部に、上記再生表示部を開いた状態と閉じた状態で視認する、動作状態を所定に表示する表示部を備えたので、上記再生表示部を開いた状態であっても閉じた状態であっても動作状態を確認できる。また、表示部を増加して表示するのではないため、スペースが新たに必要とされることも部品を増加することもない。
【００１４】
また、請求項４記載の本発明による情報処理装置は、請求項１乃至請求項３のいずれか一つに記載の情報処理装置において、上記操作部は、少なくとも２つの記録媒体の挿入、取り出し方向をそれぞれ異方向に形成したので、スペースの制約を緩和し、二つの記録媒体に対する操作性を向上させることができる。
【００１５】
さらに、請求項５記載の本発明による情報処理装置は、請求項１乃至請求項４のいずれか一つに記載の情報処理装置において、上記操作部は、各操作スイッチを自己の筐体側面に配置したものであるので、上記操作部と上記再生表示部を折りたたんだ状態でも操作が可能になり、また、上記操作部と上記再生表示部とを折りたたむスペース的な制約も容易に回避することができる。
【００１６】
また、請求項６記載の本発明による情報処理装置は、請求項１乃至請求項５のいずれか一つに記載の情報処理装置において、上記連結部と上記操作部のどちらかに、無線の通信部を設けたので、電波あるいは光（例えば、赤外線）等による無線通信に幅広く積極的に対応できる。
【００１７】
さらに、請求項７記載の本発明による情報処理装置は、請求項１乃至請求項６のいずれか一つに記載の情報処理装置において、上記操作部に、外部出力端子を設けたので、例えばビデオ出力等の外部出力端子を設けることで、外部モニタで画像情報の再生、表示が行える。
【００１８】
【発明の実施の形態】
以下、図面に基づいて本発明の実施の形態を説明する。
図１〜図３は本発明の実施の第１形態を示し、図１は情報処理装置の操作部と再生表示部を開いた状態の全体斜視図、図２は図１のＡ−Ａ線断面図、図３は制御回路の概略説明図である。
【００１９】
これらの図において、符号１は情報処理装置を示し、この情報処理装置１は、情報を再生表示する再生表示部２と、記録媒体に対する所定の情報処理を実行する操作部３と、上記操作部３と上記再生表示部２とを折りたたみ自在に連結する連結部であるヒンジ部４とから主に構成されている。
【００２０】
上記再生表示部２は、液晶ディスプレイ（Liquid Crystal Display；以下ＬＣＤと略称）５が筐体（再生表示部側筐体）６に配置されるとともに、このＬＣＤ５の動作、制御を行うＬＣＤ制御回路部７が再生表示部側筐体６内に固定格納されている。その他、上記ＬＣＤ５に関する調節を行うための図示しないスイッチ（輝度、濃度調節スイッチ）が設けられている。
【００２１】
また、上記再生表示部側筐体６には、上記ヒンジ部４を構成する再生表示部側支軸４ａが、側面の長辺側に沿って上端側と下端側とで回転自在に軸支されている。
【００２２】
上記操作部３は、その筐体（操作部側筐体）８内に、各種情報処理、すなわち画像情報の再生、表示、コピー、移動、消去、出力等の制御処理を実行する主制御回路部９が格納され、操作部側筐体８には、上記ヒンジ部４を構成する操作部側支軸４ｂが、側面の長辺側に沿って上端側と下端側とで回転自在に軸支されている。
【００２３】
そして、上記操作部側筐体８は、操作部側支軸４ｂの辺と対向する辺には第１のスイッチ群１０が配設されるとともに、折りたたんで上記再生表示部２と向かい合う面には第２のスイッチ群１１が夫々配設されている。上記第１のスイッチ群１０は、主に記録媒体同士で情報のコピー、移動に必要な操作を行うためのスイッチ群であり、上記第２のスイッチ群１１は、主に情報の再生、表示、消去に関する必要な操作を行うためのスイッチ群である。
【００２４】
また、上記操作部側筐体８の互いに対向し合う短辺には、一方の側に、主に比較的記録容量の小さいＰＣカード等の小型の記録媒体が差し込み、引き出し自在に適用可能な第１のドライブ１２が設けられ、他方の側に、大容量のＭＯディスク、ＺＩＰディスク等の記録媒体を差し込み、引き出し自在に適用可能な大容量の第２のドライブ１３が設けられている。
【００２５】
こうして、上記操作部３は、第１のドライブ１２に差し込まれた記録媒体についての各種情報処理、すなわち画像情報の再生、表示、消去、出力等の制御処理、或いは第２のドライブ１３に差し込まれた記録媒体についての各種情報処理、すなわち画像情報の再生、表示、消去、出力等の制御処理、或いは、第１のドライブ１２に差し込まれた記録媒体と第２のドライブ１２に差し込まれた記録媒体間での情報の移動、コピーが行えるようになっている。尚、符号１４は上記第１のドライブ１２の読み込み、書き込み動作中に点灯されるＬＥＤであり、上記第２のドライブ１３についても同様のＬＥＤが必要に応じて設けられる。
【００２６】
また、上記操作部３は、上記操作部側筐体８の第１のスイッチ群１０を配置した側面から、折りたたんで上記再生表示部２と向かい合う、第２のスイッチ群１１を配置した面にかけて、操作部３の作動状態を表示する作動表示部１５が設けられている。このような形態で配設された作動表示部１５によって、上記再生表示部２と上記操作部３を開いた状態は、もちろん、上記再生表示部２と上記操作部３を閉じた状態でも、上記操作部３の作動状態が視認可能になっている。
【００２７】
また、上記操作部側筐体８の第１のドライブ１２が設けられる側面には、外部出力端子としてビデオ出力端子１６が設けられ、この端子１６から上記第１のドライブ１２、或いは上記第２のドライブ１３に記録された情報を他の外部ＬＣＤに出力して再生表示可能になっている。
【００２８】
上記ヒンジ部４は、前述した如く、上記再生表示部側筐体６に回転自在に軸支される再生表示部側支軸４ａと、上記操作部側筐体８に回転自在に軸支される操作部側支軸４ｂの２軸を含んで構成されており、これら再生表示部側支軸４ａと操作部側支軸４ｂとが連結分離自在に形成される。
【００２９】
上記再生表示部側支軸４ａは、中空の軸部１７の両端にキャップ部１８、１９を嵌装して形成され、上記操作部側支軸４ｂも同様に中空の軸部２０の両端にキャップ部２１、２２を嵌装して形成されている。
【００３０】
そして、上記軸部１７の中空部分は、上記再生表示部２を駆動する電源電池２３の格納部２４になっており、この格納部２４に格納される電源電池２３は、上記キャップ部１９を取り外して交換可能になっている。
【００３１】
同様に、上記操作部側支軸４ｂの上記軸部２０の中空部分は、上記操作部３を駆動する電源電池２５の格納部２６になっており、この格納部２６に格納される電源電池２５は、キャップ部２２を取り外して交換可能になっている。
【００３２】
上記再生表示部側支軸４ａの軸部１７の外周面の上端側と下端側には、上下の最短直線上に一対の穴部２６，２７が形成され、さらにその中間側には一対の磁石２８，２９が埋設されている。
【００３３】
また、上記操作部側支軸４ｂの軸部２０の外周面の上端側と下端側には、上記一対の穴部２６，２７と対応して、これら穴部２６，２７内に嵌入、抜去自在な一対の挿入ガイドピン３０，３１が形成され、さらに、上記一対の磁石２８，２９に対応する位置には、上記一対の磁石２８，２９と逆極性で互いに引き合う一対の磁石３２，３３が埋設されている。
【００３４】
さらに、上記再生表示部側支軸４ａの軸部１７の一対の穴部２６，２７の略中央には、再生表示部側コネクタ３４が固定され、上記操作部側支軸４ｂの軸部２０の一対の挿入ガイドピン３０，３１の略中央で、上記再生表示部側コネクタ３４と向かい合う位置には、操作部側コネクタ３５が固定されている。上記再生表示部側コネクタ３４は、上記ＬＣＤ制御回路部７から可撓性を有するＦＰＣ（フレキシブルプリント配線材）３６を介して導出された電気的接続手段をなし、一方、上記操作部側コネクタ３５は、上記主制御回路部９と可撓性を有するＦＰＣ（フレキシブルプリント配線材）３７を介して導出された電気的接続手段をなしている。
【００３５】
このため、再生表示部側支軸４ａと操作部側支軸４ｂとは、一対の穴部２６，２７に、一対の挿入ガイドピン３０，３１をガイドしながら嵌入していくことにより、さらに一対の磁石２８，２９と一対の磁石３２，３３とが引き合って確実に連結される。また、再生表示部側支軸４ａと操作部側支軸４ｂとを連結していくに際し、互いの軸部１７，２０に固定したコネクタ３４，３５同士も自動的に接続されて、操作部３により再生表示部２が操作可能になる。さらに、上記再生表示部側支軸４ａの外周で再生表示部２を回転させる場合、或いは上記操作部側支軸４ｂの外周で操作部３を回転する場合も、互いのコネクタ３４，３５は、それぞれの回路部７，９とＦＰＣ３６，３７を介して接続されており、回転させるに何ら電気的支障は生じない。また、再生表示部側支軸４ａと操作部側支軸４ｂとを分離する場合、一対の穴部２６，２７から一対の挿入ガイドピン３０，３１をガイドしながら抜去することで、容易に再生表示部側支軸４ａと操作部側支軸４ｂとの分離、再生表示部２と操作部３との電気的接続の解除が行える。この再生表示部２側と操作部３側とを分離した状態において、上記再生表示部２には上記再生表示部側支軸４ａに内蔵した電源電池２３から、上記操作部３には上記操作部側支軸４ｂに内蔵した電源電池２５から独立して駆動電源が供給されるため、それ自体単体であっても、外部電源を必要とせず動作することが可能である。
【００３６】
また、上記再生表示部側支軸４ａのキャップ部１８には、ＦＰＣ３６，互いのコネクタ３４，３５，ＦＰＣ３７を介して上記主制御回路部９に、無線の通信部、例えば、赤外線通信、ＩｒＤＡ（Infrared Data Association ）の通信部であるＬＥＤ３８が設けられている。
【００３７】
次に、上記情報処理装置１の制御回路について、図３を基に説明する。
上記主制御回路部９は、ＣＰＵ４１、メモリ回路４２、圧縮／伸張回路４３、Ｄ／Ａ変換回路４４、ＬＥＤ駆動回路４５から主に構成される。上記再生表示部２と上記操作部３とが連結され、上記第１のドライブ１２、或いは上記第２のドライブ１３に記録媒体である記録メモリ（例えば、画像情報が記録されているメモリ）が挿入されて、画像情報の読み込み、再生を実行する場合、ＣＰＵ４１は操作命令に従って、記録メモリから必要な画像情報を圧縮／伸張回路４３を介して読み込み、メモリ回路４２にメモリし、この情報を必要な再生命令に応じて、Ｄ／Ａ変換回路４４でＤ／Ａ変換してＬＣＤ制御回路部７に出力させて表示させる。また、無線通信指令が有る場合は、メモリ回路４２からＬＥＤ駆動回路４５に画像情報を出力させて、ＩｒＤＡの通信部であるＬＥＤ３８から出力させる。
【００３８】
次いで、上記情報処理装置１の具体的な使用形態について説明する。
まず、再生表示部２と操作部３とが別体になっている状態から連結させて使用する場合について説明する。この状態では、再生表示部２側の再生表示部側支軸４ａの一対の穴部２６，２７と、操作部３側の操作部側支軸４ｂの一対の挿入ガイドピン３０，３１を対向させ、上記一対の穴部２６，２７に、上記一対の挿入ガイドピン３０，３１をガイドしながら嵌入していく。すると、略同時に、再生表示部側コネクタ３４と操作部側コネクタ３５も自ら連結されていき、上記再生表示部側支軸４ａと上記操作部側支軸４ｂとが近づくにつれ、再生表示部側支軸４ａの一対の磁石２８，２９と操作部側支軸４ｂの一対の磁石３２，３３とが引き合って、より確実に再生表示部側支軸４ａと操作部側支軸４ｂとが連結され、再生表示部２と操作部３とが連結される。
【００３９】
そして、再生表示部２を再生表示部側支軸４ａを中心として必要なだけ回転し、或いは、操作部３を操作部側支軸４ｂを中心として必要なだけ回転する。ここで、再生表示部２と操作部３とを折りたたんで閉じた状態とした場合でも、側面の作動表示部１５を視認しながら第１のスイッチ群１０を操作（第１のドライブ１２と第２のドライブ１３に挿入した記録媒体に関しての主に記録媒体同士で情報のコピー、移動に必要な操作）して作動させることが可能である。
【００４０】
また、再生表示部２に画像情報等の表示を行わせる場合、再生表示部２と操作部３の開き角度は、１８０度より小さい角度の任意の角度であっても（図１のような状態）、或いは、１８０度より大きい角度の任意の角度であっても良い。再生表示部２を使用して行う操作（主に情報の再生、表示、消去に関する必要な操作）は、主に第２のスイッチ群１１で行われる。
【００４１】
次に、携帯する場合について説明する。再生表示部２と操作部３とを折りたたんで閉じた状態として、再生表示部２と操作部３とを共に携帯することも、或いは再生表示部２と操作部３とを分離して必要な部分のみ携帯することも可能である。
【００４２】
再生表示部２と操作部３とを分離する手順は、上述の連結する場合と逆の手順で行うことができる。すなわち、再生表示部側支軸４ａの一対の穴部２６，２７から操作部側支軸４ｂの一対の挿入ガイドピン３０，３１をガイドしながら抜去することで、容易に再生表示部側支軸４ａと操作部側支軸４ｂとの分離、再生表示部２と操作部３との電気的接続の解除が行える。
【００４３】
このように再生表示部２側と操作部３側とを分離した状態においても、再生表示部２には再生表示部側支軸４ａに内蔵した電源電池２３から、操作部３には操作部側支軸４ｂに内蔵した電源電池２５から独立して駆動電源が供給されるため、それ自体単体であっても、外部電源を必要とせず動作することが可能である。
【００４４】
このため、再生表示部２側、或いは操作部３側のみ携帯し使用することが可能になり、例えば画像情報を取り込む電子スチルカメラ、若しくはデジタルカメラがＬＣＤを備えている場合等で、再生表示部２側を必要としない場合は、操作部３側のみ携帯して使用することができ、携帯性により優れた装置となっている。
【００４５】
また、操作部３の筐体８の第１のドライブ１２が設けられている側面にビデオ出力端子１６が配設されているため、再生表示部２で再生表示しながら、或いは、再生表示部２で再生表示せずに、或いは操作部３側のみ携帯して他のＬＣＤで再生表示することが可能である。
【００４６】
さらに、ＩｒＤＡの通信部３８を有しているため、近年、広く普及しつつある赤外線通信システムに対応することが可能で、また、通信部３８もヒンジ部４に設けてあるので、上下動しずらく確実な情報の送受を行って通信することが可能である。
【００４７】
このように、本発明の実施の第１形態によれば、小型の記録媒体に記録されている情報を大容量の記録媒体にコピー、移動したり、所定の不要な情報を消去したり、或いは、情報を再生、表示したりする機能を有し、従来、このような記録媒体に関する管理は、パーソナルコンピュータ等を通じて行っていたものが手軽に行えるようになる。
【００４８】
また、連結部が２軸からなるヒンジ部４として構成されているため再生表示部２と操作部３を折りたたみ小型にすることができ、携帯性に優れる。さらに、再生表示部２と操作部３とを分離して、必要な側のみ携帯して使用することもできるので、より携帯性に優れ、取り扱い性が向上したものになっている。
【００４９】
また、ヒンジ部４の再生表示部側支軸４ａには再生表示部側を駆動する電源を、操作部側支軸４ｂには操作部側を駆動する電源を、それぞれ内蔵するようにしているので、再生表示部側と操作部側とを分離して単独で使用する場合でも外部電源を使用せず所定の機能を発揮できる。尚、操作部側支軸４ｂに再生表示部側を駆動する電源と操作部側を駆動する電源の両方を内蔵した場合、分離して使用する場合、操作部側のみが外部電源を使用せず所定の機能を発揮できる。
【００５０】
さらに、表示部１５は、再生表示部２を折りたたんだ状態で再生表示部２と対向する操作部３の境界縁に設けたので、再生表示部２を開いた状態であっても閉じた状態であっても動作状態を確認できる。また、表示部１５を増加して表示するのではないため、スペースが新たに必要とされることも部品を増加することもない。
【００５１】
また、操作部３は、２つのドライブ１２，１３を対向する側面に備えて、２つの記録媒体の挿入、取り出し方向をそれぞれ異方向に形成したので、スペースの制約を緩和し、二つの記録媒体に対する操作性を向上させることができる。
【００５２】
さらに、再生表示部２とコネクタ３４、および、操作部３とコネクタ３５は共に可撓性のあるＦＰＣ３６，３７を介して接続されるため、再生表示部側支軸４ａを中心に再生表示部２を回転しても、或いは操作部側支軸４ｂを中心に操作部３を回転しても無理なく円滑に回転できる。
【００５３】
また、ヒンジ部４の一方の端部にＩｒＤＡの通信部３８を設け、赤外線情報通信も可能であるので、急速に広まりつつある赤外線情報通信に対応することも可能で、さらに、通信部３８はヒンジ部４に設けられているため、上下動することも少なく、他の機器の通信部との情報の送受を確実に行うことも可能になる。
【００５４】
また、操作部３の側面に設けた外部出力端子１６により、適宜、外部のＬＣＤ等に画像情報を再生表示することも可能で、外部出力端子１６の位置も操作部３の短辺側側面であるため、操作性、美観を損なうことは無い。
【００５５】
次に、図４および図５は本発明の参考例を示し、図４は情報処理装置の操作部と再生表示部を開いた状態の全体斜視図、図５は図４のＢ−Ｂ線断面図である。尚、本参考例は、操作部と再生表示部とを折りたたみ自在に連結する連結部としてのヒンジ部を、一本の軸で形成したものである。
【００５６】
すなわち、これらの図において、符号５０は情報処理装置を示し、この情報処理装置５０は、情報を再生表示する再生表示部５１と、記録媒体に対する所定の情報処理を実行する操作部５２と、上記操作部５２と上記再生表示部５１とを折りたたみ自在に連結するヒンジ部５３とから主に構成されている。
【００５７】
上記再生表示部５１は、ＬＣＤ５４が筐体（再生表示部側筐体）５５に配置されるとともに、このＬＣＤ５４の動作、制御を行うＬＣＤ制御回路部５６が再生表示部側筐体５５内に固定格納されている。その他、上記ＬＣＤ５４に関する調節を行うための図示しないスイッチ（輝度、濃度調節スイッチ）が設けられている。
【００５８】
また、上記再生表示部５１は、その長辺側の一辺の上下に、一対の挿入ガイドピン５７，５８が突設され、さらにその中間側には一対の磁石５９，６０が埋設されている。
【００５９】
また、上記再生表示部５１の上記一対の磁石５９，６０の略中央には、上記ＬＣＤ制御回路部５６から導出され再生表示部側コネクタ６１が固定されている。
【００６０】
上記操作部５２は、その筐体（操作部側筐体）６２内に、各種情報処理、すなわち画像情報の再生、表示、コピー、移動、消去、出力等の制御処理を実行する主制御回路部６３が固定格納され、操作部側筐体６２には、上記ヒンジ部５３が、側面の長辺側に沿って上端側と下端側とで回転自在に軸支されている。
【００６１】
そして、上記操作部側筐体６２は、ヒンジ部５３の辺と対向する辺には第１のスイッチ群６４が配設されるとともに、折りたたんで再生表示部５１と向かい合う面には第２のスイッチ群６５が夫々配設されている。上記第１のスイッチ群６４は、主に記録媒体同士で情報のコピー、移動に必要な操作を行うためのスイッチ群に形成され、上記第２のスイッチ群６５は、主に情報の再生、表示、消去に関する必要な操作を行うためのスイッチ群に形成されている。
【００６２】
また、上記操作部側筐体６２の互いに対向し合う短辺には、一方の側に、主に比較的記録容量の小さいＰＣカード等の小型の記録媒体が差し込み、引き出し自在な第１のドライブ６６が設けられ、他方の側に、記録容量が大容量のＭＯディスク、ＺＩＰディスク等の差し込み、引き出し自在な大容量の第２のドライブ６７が設けられている。
【００６３】
こうして、上記操作部５２は、第１のドライブ６６に差し込まれた記録媒体についての各種情報処理、すなわち画像情報の再生、表示、消去、出力等の制御処理、或いは第２のドライブ６７に差し込まれた記録媒体についての各種情報処理、すなわち画像情報の再生、表示、消去、出力等の制御処理、或いは、第１のドライブ６６に差し込まれた記録媒体と第２のドライブ６７に差し込まれた記録媒体間での情報の移動、コピーが行えるようになっている。尚、符号６８は上記第１のドライブ６６の読み込み、書き込み動作中に点灯されるＬＥＤであり、第２のドライブ６７についても同様のＬＥＤが必要に応じて設けられる。
【００６４】
また、上記操作部５２は、操作部側筐体６２の第１のスイッチ群６４を配置した側面から、折りたたんで再生表示部５１と向かい合う、第２のスイッチ群６５を配置した面にかけて、操作部５２の作動状態を表示する作動表示部６９が設けられており、再生表示部５１と上記操作部５２を開いた状態は、もちろん、再生表示部５１と操作部５２を閉じた状態でも、操作部５２の作動状態が視認可能になっている。
【００６５】
また、上記操作部側筐体６２の第１のドライブ６６が設けられる側面には、外部出力端子としてビデオ出力端子７０が設けられ、この端子７０から第１のドライブ６６、或いは上記第２のドライブ６７に記録された情報を他の外部ＬＣＤに出力して再生表示可能になっている。
【００６６】
上記ヒンジ部５３は、上述の如く操作部５２に軸支される１本の軸で構成され、このヒンジ部５３から再生表示部５１が連結分離自在に形成されている。
【００６７】
上記ヒンジ部５３は、中空の軸部７１の両端にキャップ部７２，７３を嵌装して形成され、軸部７１の中空部分は、上記再生表示部５１および操作部５２の両方を駆動する電源電池７４の格納部７５になっており、この格納部７５に格納される電源電池７４は、上記キャップ部７３を取り外して交換可能になっている。
【００６８】
上記ヒンジ部５３の軸部７１の外周面の上端側と下端側には、上記再生表示部５１の一対の挿入ガイドピン５７，５８と対応する位置に、一対の穴部７６，７７が形成されている。さらにその中間側の、上記再生表示部５１の一対の磁石５９，６０と対応する位置には、この一対の磁石５９，６０と逆極性で互いに引き合う一対の磁石７８，７９が埋設されている。
【００６９】
また、上記ヒンジ部５３の軸部７１の一対の穴部７６，７７の略中央で、上記再生表示部５１の再生表示部側コネクタ６１に対する位置には、操作部側コネクタ８０が固定されている。この操作部側コネクタ８０は、上記主制御回路部６３と可撓性を有するＦＰＣ８１を介して電気的に接続されている。
【００７０】
このため、上記ヒンジ部５３と上記再生表示部５１とは、ヒンジ部５３の一対の穴部７６，７７に、再生表示部５１の一対の挿入ガイドピン５７，５８をガイドしながら嵌入していくことにより、さらにヒンジ部５３の一対の磁石７８，７９と再生表示部５１の一対の磁石５９，６０とが引き合って確実に連結される。また、上記ヒンジ部５３と上記再生表示部５１とを連結していくに際し、互いのコネクタ８０，６１同士も自ら接続されて、上記ヒンジ部５３に内蔵した電源電池７４からの上記再生表示部５１への電源の供給が可能になるとともに、上記操作部５２により上記再生表示部５１が操作可能になる。さらに、上記ヒンジ部５３の外周で再生表示部５１、或いは操作部５２を回転させる場合、操作部側コネクタ８０は主制御回路部６３とＦＰＣ８１を介して接続されており、回転させるに何ら電気的支障は生じない。また、上記ヒンジ部５３から上記再生表示部５１を分離する場合、上記一対の穴部７６，７７から上記一対の挿入ガイドピン５７，５８をガイドしながら抜去することで、容易に分離でき、操作部５２と再生表示部５１との電気的接続の解除が行える。この再生表示部５１側と操作部５２側とを分離した状態において、操作部５２にはヒンジ部５３に内蔵した電源電池７４から駆動電源が供給されるため、それ自体単体であっても、外部電源を必要とせず動作することが可能である。
【００７１】
また、上記ヒンジ部５３のキャップ部７２には、上記ＦＰＣ８１を介して上記主制御回路部６３に、無線の通信部、例えば赤外線通信、ＩｒＤＡの通信部であるＬＥＤ８２が設けられている。
【００７２】
尚、本参考例については、ＬＣＤ制御回路部５６、主制御回路部６３、ＩｒＤＡのＬＥＤ８２は、それぞれ前記実施の第１形態のＬＣＤ制御回路部７、主制御回路部９、ＩｒＤＡのＬＥＤ３８に対応して略同様であるので詳しい説明は省略する。
【００７３】
次いで、上記情報処理装置５０の具体的な使用形態について説明する。
まず、再生表示部５１と操作部５２とが別体になっている状態から連結させて使用する場合について説明する。この状態では、操作部５２側に軸支されたヒンジ部５３の一対の穴部７６，７７と、再生表示部５１の一対の挿入ガイドピン５７，５８を対向させ、上記一対の穴部７６，７７に、上記一対の挿入ガイドピン５７，５８をガイドしながら嵌入していく。すると、略同時に、再生表示部側コネクタ６１と操作部側コネクタ８０も自ら確実な位置で連結されていき、上記ヒンジ部５３と上記再生表示部５１とが近づくにつれ、ヒンジ部の一対の磁石７８，７９とが引き合って、より確実にヒンジ部５３と再生表示部５１とが連結される。
【００７４】
そして、再生表示部５１、或いは、操作部５２をヒンジ部５３を中心として必要なだけ回転する。ここで、再生表示部５１と操作部５２とを折りたたんで閉じた状態とした場合でも、側面の作動表示部６９を視認しながら第１のスイッチ群６４を操作（第１のドライブ６６と第２のドライブ６７に挿入した記録媒体に関しての主に記録媒体同士で情報のコピー、移動に必要な操作）して作動させることが可能である。
【００７５】
また、再生表示部５１に画像情報等の表示を行わせる場合、再生表示部５１と操作部５２の開き角度は、１８０度より小さい角度の任意の角度であっても（図４のような状態）、或いは、１８０度より大きい角度の任意の角度であっても良い。再生表示部５１を使用して行う操作（主に情報の再生、表示、消去に関する必要な操作）は、主に第２のスイッチ群６５で行われる。
【００７６】
次に、携帯する場合について説明する。再生表示部５１と操作部５２とを折りたたんで閉じた状態として、再生表示部５１と操作部５２とを共に携帯することも、或いは再生表示部５１と操作部５２とを分離して必要な部分のみ携帯することも可能である。
【００７７】
再生表示部５１と操作部５２とを分離する手順は、上述の連結する場合と逆の手順で行うことができる。すなわち、ヒンジ部５３の一対の穴部７６，７７から再生表示部５１の一対の挿入ガイドピン５７，５８をガイドしながら抜去することで、容易に再生表示部５１とヒンジ部５３との分離、上記再生表示部５１と操作部５２との電気的接続の解除が行える。
【００７８】
このように再生表示部５１側と操作部５２側とを分離した状態においても、操作部５２にはヒンジ部５３に内蔵した電源電池７４から駆動電源が供給されるため、それ自体単体であっても、外部電源を必要とせず動作することが可能である。
【００７９】
そして、再生表示部５１、或いは操作部５２側のみ携帯し使用することが可能になり、例えば画像情報を取り込む電子スチルカメラ、若しくはデジタルカメラがＬＣＤを備えている場合等で、再生表示部５１を必要としない場合は、操作部５２側のみ携帯して使用することができ、携帯性により優れた装置となっている。
【００８０】
また、操作部５２の筐体６２の第１のドライブ６６が設けられている側面にビデオ出力端子７０が配設されているため、再生表示部５１で再生表示しながら、或いは、再生表示部５１で再生表示せずに、或いは操作部５２側のみ携帯して他のＬＣＤで再生表示することが可能である。
【００８１】
さらに、ＩｒＤＡの通信部８２を有しているため、近年、広く普及しつつある赤外線通信システムに対応することが可能で、また、通信部８２もヒンジ部５３に設けてあるので、上下動しずらく確実な情報の送受を行って通信することが可能である。
【００８２】
このように、本発明の参考例によっても、前記実施の第１形態と同様、小型の記録媒体に記録されている情報を大容量の記録媒体にコピー、移動したり、所定の不要な情報を消去したり、或いは、情報を再生、表示したりする機能を有し、従来、このような記録媒体に関する管理は、パーソナルコンピュータ等を通じて行っていたものが手軽に行えるようになる。
【００８３】
また、連結部を１軸のヒンジ部５３で構成しているので、部品点数も少なくシンプルで、より小型軽量として携帯性に優れたものになっている。
【００８４】
さらに、前記実施の第１形態と同様、再生表示部２と操作部３とを分離して、必要な側のみ携帯して使用することもできるので、より携帯性に優れ、取り扱い性が向上したものになっている。
【００８５】
また、ヒンジ部５３には再生表示部５１と操作部５２とを駆動する電源を内蔵するようにしているので、再生表示部５１と操作部５２とを分離して、操作部５２を携帯して使用する場合でも外部電源を使用せず所定の機能を発揮できる。
【００８６】
さらに、前記実施の第１形態と同様、表示部６９は、再生表示部５１を折りたたんだ状態で再生表示部５１と対向する操作部５２の境界縁に設けたので、再生表示部５１を開いた状態であっても閉じた状態であっても動作状態を確認できる。また、表示部６９を増加して表示するのではないため、スペースが新たに必要とされることも部品を増加することもない。
【００８７】
また、前記実施の第１形態と同様、操作部５２は、２つのドライブ６６，６７を対向する側面に備えて、２つの記録媒体の挿入、取り出し方向をそれぞれ異方向に形成したので、スペースの制約を緩和し、二つの記録媒体に対する操作性を向上させることができる。
【００８８】
さらに、操作部５２とコネクタ８０は共に可撓性のあるＦＰＣ８１を介して接続されるため、ヒンジ部５３を中心に操作部５２、或いは再生表示部５１を回転しても、無理なく円滑に回転できる。
【００８９】
また、前記実施の第１形態と同様、ヒンジ部５３の一方の端部にＩｒＤＡの通信部８２を設け、赤外線情報通信も可能であるので、急速に広まりつつある赤外線情報通信に対応することも可能で、さらに、通信部８２はヒンジ部５３に設けられているため、上下動することも少なく、他の機器の通信部との情報の送受を確実に行うことも可能になる。
【００９０】
また、操作部５２の側面に設けた外部出力端子７０により、適宜、外部のＬＣＤ等に画像情報を再生表示することも可能で、外部出力端子７０の位置も操作部５２の短辺側側面であるため、操作性、美観を損なうことは無い。
【００９１】
尚、上記実施の第１形態及び参考例では、電源電池は通常の乾電池のように図示して説明しているが、このような乾電池に限るものではなく特殊な他の形態の電池であっても良い。
【００９２】
また、上記参考例では、１つの軸からなるヒンジ部で、このヒンジ部が操作部側に属して、再生表示部をこのヒンジ部に対して連結分離自在とした例を説明しているが、逆にヒンジ部が再生表示部側に属して、操作部がこのヒンジ部に対して連結分離自在としても良い。但し、この場合、ヒンジ部に内蔵した電源電池からは再生表示部側に電源供給されるため、再生表示部と操作部とを分離した場合、操作部に対しては外部電源が必要になる。
【００９３】
［付記］
１．少なくとも記録媒体に対する所定の情報処理を実行する操作部と、情報を再生表示する再生表示部と、上記操作部と上記再生表示部とを折りたたみ自在に連結するヒンジ部とを備えた情報処理装置において、
上記操作部を有する側を第１の部分とし、上記再生表示部を有する側を第２の部分として、上記第１の部分と上記第２の部分とを連結分離自在に形成する一方、上記ヒンジ部の端部に外部との無線の通信部を配設したことを特徴とする情報処理装置。
【００９４】
すなわち、ヒンジ部の端部は上下動も少なく、かつ、筐体の先端側で外部との送受も確実に実行できる。
【００９５】
２．上記無線の通信部は、赤外線による情報通信の通信部であることを特徴とする付記１記載の情報処理装置。
【００９６】
すなわち、近年、広く普及してきたＩｒＤＡに対応して市場ニーズに素早く対応できるものとする。
【００９７】
３．少なくとも記録媒体に対する所定の情報処理を実行する操作部と、情報を再生表示する再生表示部と、上記操作部と上記再生表示部とを折りたたみ自在に連結するヒンジ部とを備えた情報処理装置において、
上記操作部を有する側を第１の部分とし、上記再生表示部を有する側を第２の部分として、上記第１の部分と上記第２の部分とを連結分離自在に形成する一方、上記操作部のヒンジ部と連結する以外の側面に外部出力端子を設けたことを特徴とする情報処理装置。
【００９８】
すなわち、外部出力端子を設けて、第１の部分と第２の部分を分離して機能させる際に操作部は、必要に応じて外部の再生表示装置を利用することが可能になり、また、第１の部分と第２の部分を連結させたままでも、適宜他の外部の再生表示装置を利用することが可能になる。そして、外部出力端子も、ヒンジ部と連結する以外の側面に設けられているため、操作部と再生表示部とを折りたたんでも邪魔にならず、また、操作部側を下にしても邪魔にならず、さらに、操作部の再生表示部と対向される面に配したスイッチ類等を操作するにも邪魔にならず、外観も損ねることがない。
【００９９】
４．少なくとも記録媒体に対する所定の情報処理を実行する操作部と、情報を再生表示する再生表示部と、上記操作部と上記再生表示部とを折りたたみ自在に連結するヒンジ部とを備えた情報処理装置において、
上記操作部を有する側を第１の部分とし、上記再生表示部を有する側を第２の部分として、上記第１の部分と上記第２の部分とを連結分離自在に形成する一方、上記操作部と上記再生表示部の少なくとも一方の回転で曲げ力が加わる電気的接続部分は可撓性を有する部材で形成したことを特徴とする情報処理装置。
【０１００】
すなわち、操作部と再生表示部の回転がスムーズに無理なく行えるようにする。
【０１０１】
【発明の効果】
以上、説明したように本発明によれば、パーソナルコンピュータ等を利用することなく、小型の記録媒体に記録されている情報を大容量の記録媒体にコピー、移動したり、所定の不要な情報を消去したり、或いは、情報を再生、表示したりする所定の情報処理の機能を容易、且つ、手軽に行うことができ、情報処理の操作を行う操作部と再生表示部とが折りたためて、さらに個別に分離することもでき、携帯性と操作性に優れるという効果を奏する。
【図面の簡単な説明】
【図１】本発明の実施の第１形態による、情報処理装置の操作部と再生表示部を開いた状態の全体斜視図
【図２】同上、図１のＡ−Ａ線断面図
【図３】同上、制御回路の概略説明図
【図４】  本発明の参考例による、情報処理装置の操作部と再生表示部を開いた状態の全体斜視図
【図５】同上、図４のＢ−Ｂ線断面図
【符号の説明】
１    情報処理装置
２    再生表示部
３    操作部
４    ヒンジ部
４ａ  再生表示部側支軸
４ｂ  操作部側支軸
１０    第１のスイッチ群
１１    第２のスイッチ群
１２    第１のドライブ
１３    第２のドライブ
１５    作動表示部
３０    挿入ガイドピン
３１    挿入ガイドピン
３２    磁石
３３    磁石
【図１】
0004098399.tif 000002
【図２】
0004098399.tif 000003
【図３】
0004098399.tif 000004
【図４】
0004098399.tif 000005
【図５】
0004098399.tif 000006